(57)【要約】【課題】横引きパイプを挿通するための開口部を覆うことで開口部の外観意匠を良好に維持することができ、簡便に開口部への取り付け及び取り外しが可能な化粧カバーを提供すること。【解決手段】化粧カバー１は、矩形開口部１２bの内方に弾性係止爪４が配置された状態で回動可能であり、化粧カバー１の回動によって対向配置された弾性係止爪４が矩形開口部１２b周縁の対向壁１８間に圧接係止されて、矩形開口部１２bの外側への化粧カバー１の取り付けおよび矩形開口部１２bの被覆が可能であるとともに、化粧カバー１の回動によって弾性係止爪４が矩形開口部１２b周縁の対向壁１８間から外れると、圧接係止が解除されて化粧カバー１が取り外し可能となる。【選択図】図１
2011246953.tif 000002
【特許請求の範囲】
【請求項１】
外壁に設けられた矩形開口部に挿通された横引きパイプの端部と、竪樋に連結した排水ますの側方から突出する枝管とが接続する接続部において、矩形開口部を外側から覆う化粧カバーの取り付け構造であって、
化粧カバーは、ベース板と、ベース板背面に配設された複数の弾性係止爪を有し、ベース板は、矩形開口部を被覆可能であるとともに枝管挿入孔が設けられ、弾性係止爪は、枝管挿入孔より外方に、矩形開口部周縁の対向壁間の距離と略等しい距離で対向配置され、
枝管挿入孔に枝管が挿入されるとともに、化粧カバーは、矩形開口部の内方に弾性係止爪が配置された状態で回動可能であり、化粧カバーの回動によって対向配置された弾性係止爪が矩形開口部周縁の対向壁間に圧接係止されて、矩形開口部の外側への化粧カバーの取り付けおよび矩形開口部の被覆が可能であるとともに、化粧カバーの回動によって弾性係止爪が矩形開口部周縁の対向壁間から外れると、圧接係止が解除されて化粧カバーが取り外し可能となることを特徴とする化粧カバーの取り付け構造。
【請求項２】
化粧カバー外周縁には、外枠が設けられていることを特徴とする請求項１に記載の化粧カバーの取り付け構造。
【請求項３】
請求項１または２に記載の化粧カバーの取り付け構造に使用される化粧カバー。
【発明の詳細な説明】
【技術分野】
【０００１】
本発明は、横引きパイプを挿通する開口部の化粧カバーの取り付け構造およびこの取り付け構造に使用される化粧カバーに関する。
【背景技術】
【０００２】
従来、住宅のベランダ等からの雨水を竪樋に送るための構造として、図７に例示するような構造が知られている。この構造では、建物の外壁の下地材１１および外装材１２に下地材開口部１１aおよび外装材開口部１２aが設けられ、この下地材開口部１１aと外装材開口部１２aには横引きパイプ１３が挿通している。そして、この横引きパイプ１３の端部と、竪樋１４に連結した排水ます１５の側方から突出する枝管１６とが接続されている。そして、この下地材開口部１１aと外装材開口部１２aには、横引きパイプ１３との隙間にシーリング材１７が充填されて、雨水の浸入等が抑制されている。
【０００３】
また、特許文献１では、排水ますに伸縮自在なカバー体を配設することで、横引きパイプが外部に露出しないように設計されている。
【先行技術文献】
【特許文献】
【０００４】
【特許文献１】特開平2004-11185号公報
【発明の概要】
【発明が解決しようとする課題】
【０００５】
しかしながら、図７に例示した構造では、下地材開口部１１aおよび外装材開口部１２aが外部に露出する。このため、外観意匠を良好とするためには、下地材開口部１１aおよび外装材開口部１２aの施工作業を丁寧に行う必要があり、作業に相当の手間と時間を要する。特に丸形状の横引きパイプ１３を使用する場合には、下地材開口部１１aと外装材開口部１２aを円形に整える必要があるため、施工作業は一層困難になる。さらに、図７に例示した構造では、下地材開口部１１aおよび外装材開口部１２aに充填されたシーリング材１７も外部に露出するため、シーリング材１７として好ましい色や材料を選択した場合にも外観意匠への悪影響は避けられない。
【０００６】
そこで、本発明者らは、下地材開口部１１aおよび外装材開口部１２aの外観意匠を良好とするために、例えば、下地材開口部１１aおよび外装材開口部１２aを外側から覆うカバー材（図示していない）等を取り付けることを検討してきた。
【０００７】
そして、このようなカバー材を外装材に取り付ける場合には、
１）下地材開口部１１aおよび外装材開口部１２aに充填されたシーリング材１７は、施工後に定期的に点検することが好ましいため、カバー材は簡便に取り外し可能であることが望まれ、カバー材を外装材に接着固定することは好ましくないこと、
２）外装材１２の材質によっては、ネジや釘等の固定部材が使用できない場合があること、
３）外装材１２に対してネジや釘等の固定部材が使用可能な場合にも、外装材１２には固定部材による穴が開くため、外装材１２の劣化、水漏れなどが誘発されること、
４）カバー材の取り付け作業は高所で行なわれるため、作業負担軽減の観点からも、ネジや釘等の固定部材および工具を使用しない取り付け構造が望まれること、
が改善すべき問題点として考えられた。
【０００８】
一方、上記特許文献１では、横引きパイプを覆うためのカバー体を設けているが、開口部およびシーリング材の外観意匠に関する検討はなされていない。また、カバー体は、端部に接着剤を塗布して建物外壁と接着される構造であるため、カバー体を取り外すことはできず、シーリング材のメンテナンスを行うことも難しい。
【０００９】
本発明は、以上のような事情に鑑みてなされたものであり、横引きパイプを挿通するための開口部を覆うことで開口部の外観意匠を良好に維持することができ、簡便に開口部への取り付け及び取り外しが可能な化粧カバーを提供することを課題としている。
【課題を解決するための手段】
【００１０】
上記の課題を解決するために、本発明の化粧カバーの取り付け構造は、外壁に設けられた矩形開口部に挿通された横引きパイプの端部と、竪樋に連結した排水ますの側方から突出する枝管とが接続する接続部において、矩形開口部を外側から覆う化粧カバーの取り付け構造であって、化粧カバーは、ベース板と、ベース板背面に配設された複数の弾性係止爪を有し、ベース板は、矩形開口部を被覆可能であるとともに枝管挿入孔が設けられ、弾性係止爪は、枝管挿入孔より外方に、矩形開口部周縁の対向壁間の距離と略等しい距離で対向配置され、枝管挿入孔に枝管が挿入されるとともに、化粧カバーは、矩形開口部の内方に弾性係止爪が配置された状態で回動可能であり、化粧カバーの回動によって対向配置された弾性係止爪が矩形開口部周縁の対向壁間に圧接係止されて、矩形開口部の外側への化粧カバーの取り付けおよび矩形開口部の被覆が可能であるとともに、化粧カバーの回動によって弾性係止爪が矩形開口部周縁の対向壁間から外れると、圧接係止が解除されて化粧カバーが取り外し可能となることを特徴とする。
【００１１】
本発明では、化粧カバー外周縁には、外枠が設けられていることが好ましい。
【００１２】
また、本発明の化粧カバーは、前記化粧カバーの取り付け構造に使用される。
【発明の効果】
【００１３】
本発明の化粧カバーは、化粧カバーの回動によって対向配置された弾性係止爪が矩形開口部周縁の対向壁間に圧接係止されて、矩形開口部の外側への化粧カバーの取り付けおよび矩形開口部の被覆が可能である。このため、接着剤やネジや釘等の固定部材を使用することなく容易に化粧カバーを取り付けることができ、開口部の外観意匠を良好に維持することができる。さらに、本発明の化粧カバーは、化粧カバーの回動によって弾性係止爪が矩形開口部周縁の対向壁間から外れると、圧接係止が解除されて化粧カバーが取り外し可能となる。このため、開口部から化粧カバーを容易に取り外すことができ、開口部やシーリング材等のメンテナンスを行うことができる。
【図面の簡単な説明】
【００１４】
【図１】本発明の化粧カバーの取り付け構造を例示した部分断面図である。
【図２】下地材および外装材に設けられた下地材開口部および矩形開口部を例示した正面図および断面図である。
【図３】（Ａ）は、本発明の化粧カバーの一実施形態を例示した正面斜視図であり、（Ｂ）は、背面斜視図である。
【図４】図３に例示した化粧カバーの中央断面図である。
【図５】（Ａ）は、本発明の化粧カバーの取り付け構造における取り付け前状態を例示した正面概要図であり、（Ｂ）は、（Ａ）の断面図である。
【図６】（Ａ）は、本発明の化粧カバーの取り付け構造における取り付け後状態を例示した正面概要図であり、（Ｂ）は、（Ａ）の断面図である。
【図７】従来の、横引きパイプを挿通するための開口部の構造を例示した断面概要図である。
【発明を実施するための形態】
【００１５】
図１は、本発明の化粧カバーの取り付け構造を例示した部分断面図である。図２は、下地材および外装材に設けられた下地材開口部および矩形開口部を例示した正面図および断面図である。図２では、横引きパイプ、枝管、シーリング材等は省略している。
【００１６】
外壁は、下地材１１および外装材１２によって構成されている。下地材１１には下地材開口部１１aが設けられ、外装材１２には、矩形開口部１２bが設けられている。そして、この下地材開口部１１aおよび矩形開口部１２bには横引きパイプ１３が挿通され、この横引きパイプ１３の端部は、竪樋１４に連結した排水ます１５の側方から突出する枝管１６と接続されている。
【００１７】
下地材開口部１１aは、円形に形成されている。下地材開口部１１aは、横引きパイプ１３を挿通可能な形状、大きさであればよく、横引きパイプ１３の断面形状を考慮して適宜設計することができる。例えば、横引きパイプ１３の横断面が円形状の場合には、図２に例示したように、下地材開口部１１aは円形に設計することができる。また、下地材開口部１１aには、シーリング材１７が充填されて、雨水の浸入等が抑制されている。雨水の浸入等を抑制し、シーリング材１７の充填量を少量とするためには、下地材開口部１１aは、横引きパイプ１３の外径より一回り大きい程度に設計することが好ましい。
【００１８】
外装材１２の矩形開口部１２bは、下地材開口部１１aよりも大きい正方形に形成されている。矩形開口部１２bの形状は、正方形、長方形のいずれであってよく、必ずしも厳密な矩形でなくてもよい。そして、矩形開口部１２bの周縁には、外装材１２の厚さによって対向壁１８が形成されている。
【００１９】
そして、化粧カバー１は、ベース板２と、ベース板２の外周縁から延設される外枠３と、ベース板２背面に配設された複数の弾性係止爪４を有している。
【００２０】
以下、本発明の化粧カバー取り付け構造および化粧カバーについて、図１、図２、図３および図４を用いてさらに詳しく説明する。
【００２１】
図３（Ａ）は、本発明の化粧カバーの一実施形態を例示した正面斜視図であり、図３（Ｂ）は、背面斜視図である。図４は、図３に例示した化粧カバーの中央断面図である。
【００２２】
化粧カバー１のベース板２は、外装材１２の矩形開口部１２bよりも大きい正方形に設計されている。ベース板２の形状、大きさは、特に限定されることはなく、外装材１２の矩形開口部１２bを被覆可能である形状、大きさに適宜設計することができる。
【００２３】
そして、ベース板２には、所定の奥行きを有する円形の枝管挿入孔５が設けられている。枝管挿入孔５の大きさ、形状は、枝管１６を挿入可能であれば特に限定されることはなく、適宜設計することができる。例えば、枝管１６の横断面が円形状の場合には円形に、枝管１６の横断面が矩形状の場合には、矩形に設計することができる。また、枝管挿入孔５の奥行きは、枝管１６を安定に挿入、保持することができる寸法に設計することができる。
【００２４】
ベース板２の外周縁には、ベース板２背面方向に外枠３が延設されている。外枠３の奥行きは、適宜設計することができ、例えば、枝管挿入孔５の奥行きと同程度の寸法とすることができる。
【００２５】
また、外枠３には、ベース板２の位置決め突起３aが設けられている。横引きパイプ１３および枝管１６は、通常、雨水の排水性を確保するために上方にやや傾斜しているため、化粧カバー１を所定の向きに取り付け難い場合がある。このような場合にも、例えば、予め外装材１２表面に設けた印等と位置決め突起３aを合わせる等することで、化粧カバー１の左右への傾き等を抑え、所定の向きに取り付けることができる。
【００２６】
ベース板２背面には、枝管挿入孔５より外方に、４つの弾性係止爪４が対向配置されている。すなわち、２つの弾性係止爪４を１組とし、２組の弾性係止爪４が十字を描くように、ベース板２の外縁辺の中点Ｔの内側に配置されている。
【００２７】
対向配置された弾性係止爪４同士の距離Ｍ（図３、図４）は、矩形開口部１２b周縁の対向壁１８間の距離Ｌ（図２）と略等しく設計されている。
【００２８】
弾性係止爪４は、ベース板２背面から起立する基部４aと、基部４aから外側へ延設された爪部４bを有し、爪部４bの先端には屈曲部４cが設けられている。弾性係止爪４は、外部から圧力が負荷されると弾性力によって変形可能であるとともに、圧力が開放されると元の形状へ復帰可能に設計することができる。ここで、弾性係止爪４同士の距離Ｍは、弾性係止爪４の基部４aを基準とすることができ、また、爪部４bを基準とすることもできる。
【００２９】
図５（Ａ）本発明の化粧カバーの取り付け構造における取り付け前状態を例示した正面概要図であり、図５（Ｂ）は断面図である。図６（Ａ）は、本発明の化粧カバーの取り付け構造における取り付け後状態を例示した正面概要図であり、図６（Ｂ）は、断面図である。図５、図６において、図１から図４と同一の部分については同一の符号を付し、以下では一部の符号、説明を省略する。
【００３０】
化粧カバー１は、枝管１６が枝管挿入孔５に挿入された状態となっている。例えば、枝管挿入孔５に枝管１６を挿入した状態で、枝管１６を横引きパイプ１３の端部と接合させることができる。
【００３１】
化粧カバー１を矩形開口部１２bに取り付ける際には、まず、図５（Ａ）に例示するように、十字に配置されている４つの弾性係止爪４が、矩形開口部１２bの四隅内方に収納されるように、化粧カバー１を外装材１２表面に当接対峙させる。このとき、化粧カバー１の外枠３の端部が外装材１２表面と当接し、正方形のベース板２は、正方形の矩形開口部１２bに対して４５度回転した状態で配置されている。
【００３２】
上記のとおり、対向配置された弾性係止爪４同士の距離Ｍは、矩形開口部１２b周縁の対向壁１８間の距離Ｌと略等しく設計されている。このため、矩形開口部１２bの四隅内方においては、弾性係止爪４が、矩形開口部１２b周縁の対向壁１８と非当接状態となっており、化粧カバー１は、時計回りまたは反時計回りに回動可能とされている。
【００３３】
そして、図６に例示したように、例えば、化粧カバー１を時計回りに回動させると、およそ４５度回動させたとき、矩形開口部１２bがベース板２に覆われる。また、下地材開口部１１aおよび下地材開口部１１aに充填されたシーリング材１７もベース板２によって覆われることになる。
【００３４】
さらに、このとき、対向配置された４つの弾性係止爪４の各々が矩形開口部１２b周縁の対向壁１８間に圧接係止され、矩形開口部１２bの外側に化粧カバー１が取り付けられる。上記のとおり、弾性係止爪４は、弾性力を有するため、対向壁１８間において変形による反発力が発揮され、爪部４bの先端の屈曲部４cが内側から対向壁１８と圧接することで化粧カバー１が取り付けられる。
【００３５】
このように、化粧カバー１は、接着剤やネジや釘等の固定部材を使用することなく、容易に矩形開口部１２bに取り付けることができるため、取り付け作業における作業負担が軽減されるとともに、外装材１２の劣化、水漏れなどが抑制される。
【００３６】
そして、下地材開口部１１aおよび矩形開口部１２bは、化粧カバー１によって外側から覆われるため、下地材開口部１１aおよび矩形開口部１２bの外観意匠を良好に維持することができる。また、矩形開口部１２bが化粧カバー１で覆われるため、外観を考慮して矩形開口部１２bを丁寧に施工する必要がなく、施工作業の負担が軽減される。具体的には、例えば、断面丸形状の横引きパイプ１３および枝管１６であっても、矩形開口部１２bは正方形等の矩形に施工することができるため、外装材１２に円形の開口部を設ける場合に比べ、施工作業にかかる手間が軽減され、作業時間も短縮することができる。
【００３７】
一方、化粧カバー１の取り付け後には、化粧カバー１を回動させると弾性係止爪４が矩形開口部１２bの対向壁１８間から外れて、再び弾性係止爪４が、矩形開口部１２b周縁の対向壁１８と非当接状態となる。すなわち、図５に例示したような状態に戻る。このため、弾性係止爪４による対向壁１８への圧接係止が解除されて、容易に化粧カバー１を取り外すことができる。
【００３８】
また、化粧カバー１に外枠３が設けられているため、化粧カバー１の取り付け作業時には、手で外枠３を保持して化粧カバー１の回動を行うことができる。したがって、化粧カバー１の回動が容易であり、簡便に化粧カバー１の取り付け、取り外しを行うことができる。このように、化粧カバー１の取り付け後においても化粧カバー１を容易に取り外すことができるため、シーリング材１７等のメンテナンスを行うことができる。
【００３９】
なお、本発明の化粧カバーは、以上の実施形態に限定されるものではない。例えば、弾性係止爪の形状、配設数、配設位置は、化粧カバーの回動に伴って弾性係止爪が矩形開口部周縁の対向壁間に圧接係止されるように適宜設計することができる。
【００４０】
また、矩形開口部が長方形の場合にも、弾性係止爪の配設位置は、矩形開口部周縁の対向壁間の距離と略等しく設計することができる。この場合にも、長方形の長辺および短辺を構成するいずれの対向壁間の距離も、弾性係止爪の配設位置の基準とすることができる。
【００４１】
さらに、例えば、各部材の材料は、防水性、耐久性等を考慮して、樹脂、金属等から適宜選択することができる。
【００４２】
また、本発明の化粧カバーは、外装材が配設されない場合にもおいても取り付けることができる。この場合には、外壁としての下地材における下地材開口部を矩形に開口させて矩形開口部とすることで、上記と同様に、化粧カバーの回動に伴う化粧カバーの取り付けおよび取り外しを行うことができる。
【符号の説明】
【００４３】
１  化粧カバー
２  べース板
３  外枠
４  弾性係止爪
５  枝管挿入孔
１１  下地材
１１a  下地材開口部
１２  外装材
１２b  矩形開口部
１３  横引きパイプ
１４  竪樋
１５  排水ます
１６  枝管
１８  対向壁
【図１】
2011246953.tif 000003
【図２】
2011246953.tif 000004
【図３】
2011246953.tif 000005
【図４】
2011246953.tif 000006
【図５】
2011246953.tif 000007
【図６】
2011246953.tif 000008
【図７】
2011246953.tif 000009
【手続補正書】
【提出日】平成22年5月28日(2010.5.28)
【手続補正１】
【補正対象書類名】明細書
【補正対象項目名】０００４
【補正方法】変更
【補正の内容】
【０００４】
【特許文献１】特開2004-11185号公報